(57)【要約】【課題】プラスチックなどの廃棄物処理に問題を生じる材料を使用せず、それにもかかわらず強度を保ち、組み立て性と汎用性を改善して安価に製作できる紙製パレットを提供することが課題である。【解決手段】対向する一対の端縁または端縁近傍の互いに対角位置に切り込みを設けて折り起こすと共に折り曲げ、桁形成部と桁補強部を形成した段ボール又は紙製品からなるシートを互いに桁形成部が９０度ずれるよう重ね合わせ、下側シートにおける前記桁形成部を形成するための切り込みを設けた上部を延設し、前記桁形成部で形成された桁の上部を保護するようにして紙製パレットを作成した。【選択図】      図２
2004276996.tif 000002
【特許請求の範囲】
【請求項１】
全部又は大部分が段ボール又は紙製品からなる紙製パレットであって、
シ−トの中央に対して対向する部分に切り込みを設けて折り起こすと共に折り曲げ、桁形成部と桁補強部を形成した段ボール又は紙製品からなるシートを互いに桁形成部が９０度ずれるよう重ね合わせ、下側のシートにおける前記桁形成部と桁補強部の間の部分を前記桁形成部の上に積置し、前記桁形成部で形成された桁の上部を保護するようにしたことを特徴とする紙製パレット。
【請求項２】
前記桁部に、補強用紙管を入れたことを特徴とする請求項１に記載した紙製パレット。
【請求項３】
前記互いに重ね合わせたシートは、中央にハンドリフトのコロを逃がす開口を有することを特徴とする請求項１に記載した紙製パレット。
【請求項４】
前記互いに重ね合わせたシートは、段ボールで構成されていることを特徴とする請求項１に記載した紙製パレット。
【請求項５】
前記互いに重ね合わせたシートは、その目方向が互いに９０度ずれていることを特徴とする請求項４に記載した紙製パレット。
【発明の詳細な説明】
【０００１】
【発明の属する技術分野】
本発明は、全体、又は大部分を段ボールや紙製品で構成され、物品を運搬、保管する際に使用する紙製パレットに関するものである。
【０００２】
【従来の技術】
従来から、貨物積載用として木製の平パレットが使用されている。しかしながら、近年の自然保護や木材の使用制限の問題、また、使用する材料の固定に金属製の釘が使用される関係で重量が嵩む問題、表面が荒れた木片や釘などで怪我をする危険性などが指摘され、軽量化やコスト低減、廃棄処理及び再利用性に対する要請が高くなってきている。
【０００３】
また、特殊な用途や輸出に使用される木製パレットでは、木材中の水分によって製品の価値が低下することがあり、木材中に寄生する虫や雑菌を殺すために薫蒸処理などが必要な場合もあった。さらにまた木製パレットでは、製品をパレットに積載してトラックなどで運搬する際に路面の凹凸によって生じる振動を減衰する程度が小さいため、緩衝性もあまり期待できなかった。また、現行の木製パレットやプラスチック製パレットは、資源としてリサイクルすることが難しく、破棄する場合にも簡単に処分することが難しかった。
【０００４】
そのため特許文献１には、合紙などをアングル状に成型した天板補強材に、合紙、段ボールシートなどの平板を配設して天板とし、この天板の底板に、別途合紙などで作成した２以上複数の脚桁を平行に接着して作成する紙製パレットが提案されている。また、このように脚桁を接着した場合、耐衝撃性、耐水性に問題が生じる場合があるので特許文献２には、紙製品で上面側及び下面側の両デッキボードを一体に構成したスリーブ状の本体を形成し、この本体により、別途紙製品で作成した桁を包み込むことにより、桁を本体に確実強固に保持すると共に各部で衝撃を吸収することができるようにし、合わせて接着部への水の染み込みの防止を図った紙製パレットが提案されている。
【０００５】
【特許文献１】
特開平８−７２８７６号公報
【特許文献２】
特開２０００−３３５５７９公報
【０００６】
【発明が解決しようとする課題】
しかしながらこれら特許文献１、２に示された紙製パレットは、桁の部分をそれぞれ別ピースとして作成する必要があり、それだけコストが嵩むと共に組み立てのための工数が掛かって生産性の面などに問題があった。また、特許文献１に示された紙製パレットは、フォークの差込口が一方向にしか設けられておらず、汎用性に乏しかった。
【０００７】
そのため本発明においては、プラスチックなどの廃棄物処理に問題を生じる材料を使用せず、それにもかかわらず強度を保ち、組み立て性と汎用性を改善して安価に製作できる紙製パレットを提供することが課題である。
【０００８】
【課題を解決するための手段】
上記課題を解決するため本発明においては、
全部又は大部分が段ボール又は紙製品からなる紙製パレットであって、
シ−トの中央に対して対向する部分に切り込みを設けて折り起こすと共に折り曲げ、桁形成部と桁補強部を形成した段ボール又は紙製品からなるシートを互いに桁形成部が９０度ずれるよう重ね合わせ、下側のシートにおける前記桁形成部と桁補強部の間の部分を前記桁形成部の上に積置し、前記桁形成部で形成された桁の上部を保護するようにしたことを特徴とする。
【０００９】
このように、パレットを作成するために用いられる接着剤やワイヤ、ボクサー又は製品を表示するための接着剤付の樹脂フィルムなどで作られた製品を表示するためのラベルなどそれ以外の大部分を、段ボールや合紙などの紙製品のシートを用いてパレットを構成することにより、四隅の桁部は重ね合わせた２枚の紙シートによって形成されるから別途作成する必要が無く、それだけ材料費が節約できると共に組み立ても容易で安価に製作でき、プラスチックなどを用いた場合の廃棄物処理の問題も生じない。また、桁形成部は互いに９０度ずれているから各シートの端縁を有効に利用でき、かつ、それぞれの桁形成部で桁を形成した後の穴はフォークの差込口として使用することができ、四方からフォークを差し込むことが可能な汎用性に富んだパレットを提供できる。
【００１０】
そして、前記桁部に、補強用紙管を入れることにより、水濡れなどに対しても強い紙製パレットを提供することができる。
【００１１】
そして前記互いに重ね合わせたシートは、中央にハンドリフトのコロを逃がす開口を設けることにより、通常のフォークリフトだけでなく、ハンドリフト等、簡便な運搬具でも利用可能な紙製パレットを提供できる。
【００１２】
また、前記互いに重ね合わせたシートは、段ボールで構成することにより、落下による衝撃や振動に強く、輸送時の強度も得られる紙製パレットを提供できる。
【００１３】
そしてこのように前記互いに重ね合わせたシートを段ボールで構成した場合、その目方向が互いに９０度ずれて重ね合わせることにより、落下による衝撃や振動に強く、輸送時の強度も得られる紙製パレットを提供できる。
【００１４】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１５】
図１は本発明に係る紙製パレットの一実施形態を示した完成図、図２は本発明に係る紙製パレットの一実施形態の組み立て方法を説明するための図、図３、図４、図５は、本発明に係る紙製パレットを作成するための紙シートの切り込みと折り畳みの位置を説明するための図である。
【００１６】
図中１は本発明に係る紙製パレットにおける下側となる紙シート、２は下側となる紙シート１に載せる上側紙シート、３はこの上側と下側の紙シート１、２で構成された紙製パレット上に製品を載置する製品載置ボードを形成する製品載置用紙シートで、この製品載置用ボードは図示した形態だけでなく、載置する製品に応じて種々変更できる。なお、これら紙シート１、２、３は、段ボールや合紙など、ある程度の強度を有する紙製品ならどのようなものを用いてもよいが、段ボールのように軽くて強度があり、かつ、容易に折り曲げられるものが好ましい。４は下側と上側の紙シート１、２で構成された紙製パレットの桁部分を補強するための紙管、５は紙管４を固定するための補強用部材で、この紙管４、補強用部材５は、製品の重量や水濡れに対する強度が必要な場合に用いる。６は製品載置用紙シート３で製品載置部を形成するときのワイヤ、７はこの製品載置部を下側紙シート１と上側紙シート２で形成した紙製パレットに固定するためのボクサー、８、９は紙製パレットにおけるフォークリフトのフォーク部を入れる開口である。
【００１７】
１０は、本発明に係る紙製パレットに製品を載置してハンドフォークで運搬する際、ハンドフォークのコロの部分を入れる開口、１１はそれぞれの片１１１〜１１４を折り曲げて桁を作ると共に後にできた開口をフォークリフトのフォークを差し込む穴とする桁形成部、１２は桁形成部１１を上から覆って保護する梁部、１３は桁形成部１１で形成される桁を補強する桁補強部、１４は上側紙シート２の桁形成部２１で形成される桁を補強する桁補強部、１５は下側紙シート１が段ボールで構成されているときの目の方向を示す。２０は、本発明に係る紙製パレットに製品を載置してハンドフォークで運搬する際、ハンドフォークのコロの部分を入れる開口、２１はそれぞれの片２１１〜２１４を折り曲げて桁を作ると共に後にできた開口をフォークリフトのフォークを差し込む穴とする桁形成部、２２は下側紙シート１の桁形成部１１で形成される桁を補強する桁補強部、２３は上側紙シート２が段ボールで構成されているときの目の方向を示す。３０、３１は製品載置用紙シート３における壁を形成する部位、３２は互いの壁３０、３１を接続する接続部である。なお、これら紙シート１、２における桁形成部１１、２１で形成される桁は、各紙シート１、２の対角関係となる位置に形成されるため、同一要素に同一番号を付すと共に同一添字を付してある。また、各紙シート１、２、３における実線は切断線を示し、破線は折り曲げ線を示す。
【００１８】
本発明に係る紙製パレットは、パレットを作成するために用いられる接着剤やワイヤ、ボクサー又は製品を表示するための接着剤付の樹脂フィルムなどで作られた製品を表示するためのラベルなどそれ以外の大部分を、段ボールや合紙などの紙製品のシートを用いてパレットを構成したもので、図２に示すように、下側紙シート１の上に上側紙シート２を、それぞれの紙シート１、２における桁形成部が互いに９０度ずれるように載せ、四隅に桁形成部１１、２１で作成した桁を形成すると共に、必要に応じてこの桁に紙管４などの補強材を矢印の方向に入れて接着し、さらに図１のように製品載置用紙シート３で作成した製品載置部を固定したものである。なお、紙シート１、２が段ボールで構成される場合、前記したようにこの桁形成部を互いに９０度ずらすと共に目の方向１５、２３も互いに９０度ずらす。
【００１９】
下側紙シート１は図３に示したように、紙製パレットの隅の対角上に桁を形成する桁形成部１１と、その桁を補強する桁補強部１３、及び上側紙シート２の隅の対角上に桁を形成する桁形成部２１で形成される桁を補強する桁補強部１４と、ハンドフォークのコロが入る開口１０を有し、それぞれの桁形成部１１、桁補強部１３、１４は、実線部に切れ込みを入れて点線で示したところで折り曲げる。同様に上側紙シート２は、図４に示したように、紙製パレットの隅の対角上に桁を形成する桁形成部２１と、下側紙シート１の桁形成部１１で形成される桁を補強する桁補強部２２と、ハンドフォークのコロが入る開口２０とを有し、それぞれの桁形成部２１は、実線部に切れ込みを入れて点線で示したところで折り曲げる。また、製品載置用紙シート３も実線部に切れ込みを入れて点線で示したところで折り曲げ、図１に示したようにワイヤ６で互いの壁３０、３１をつなぎ、製品を載置できるように組み立てる。
【００２０】
そして、この下側紙１の上に前記したように互いの桁形成部が９０度ずれるように、また、これらシート１、２が段ボールの場合、目の方向１５、２３が９０度ずれるように上側紙シート２を載せ、図２に示したように、上側紙シート２の桁補強部２２を垂直に立て、その桁補強部２２が桁の内側となるよう下側紙シート１の桁形成部１１２を合わせて接着すると共に、桁形成部１１１を、桁形成部１１５と桁補強部２２の間に入れて桁形成部１１５と接着して桁を形成する。また、上側シート２の桁形成部２１を折り曲げて桁を形成し、桁形成部２１４を下側シート１の桁形成部１１６に接着する。そしてこの段階で桁部に補強材が必要な場合は、紙管４などの補強材を補強用部材５などと共にこの桁に入れ、接着する。こうして補強材が入れられたら、桁の上部に梁部１２を接着し、更に桁補強部１３１が桁１１３へ、桁補強部１３２が桁１１４へ、桁補強部１４１が桁２１２へ、桁補強部１４２が桁２１３へ接着される。そして最後に、製品載置用紙シート３にワイヤ６などを打って形成した製品載置部を載せ、ボクサー７などで止めると紙製パレットが完成する。
【００２１】
このように、互いに桁形成部を９０度ずらせて重ねた下側紙シート１と上側紙シート２における、それぞれの対角部に桁部を形成して紙製パレットを構成することにより、この桁部を形成する桁形成部１１、２１の有ったところは図１に示したように、８、９として開口となるから、この部分にフォークリフトのフォーク部を入れることができる。また桁部は、重ね合わせた下側紙シート１と上側紙シート２における切り込みを入れた端部を折り曲げるだけで形成できるから、別途作成する場合のような工数を必要とせず、非常に簡単に、そして安価に製作することができる。
【００２２】
また、前記したように各桁は、桁補強部１３、１４、２２で補強されているから、強固な桁とすることができ、また、この下側紙シート１と上側紙シート２が段ボールの場合、その目の方向を９０度ずらせることにより、落下による衝撃や振動に強く、輸送時の強度も得られる紙製パレットを提供できる。また、この桁部に、補強用紙管４を入れることにより、水濡れなどに対しても強い紙製パレットを提供することができる。なお、紙管４は、樹脂などで形成した同様の部材を用いても良いことは自明である。
【００２３】
【発明の効果】
以上種々述べてきたように本発明に係る紙製パレットは、対向する一対の端縁または端縁近傍の互いに対角位置に切り込みを設けて折り起こすと共に折り曲げ、桁形成部と桁補強部を形成した段ボール又は紙製品からなるシートを互いに桁形成部が９０度ずれるよう重ね合わせ、下側シートの切り込みを設けた上部を延設して前記桁形成部で形成された桁の上部を保護するようにしたから、四隅の桁部は重ね合わせた２枚の紙シートによって形成されて別途作成する必要が無く、それだけ材料費が節約できると共に組み立ても容易で安価に製作でき、プラスチックなどを用いた場合の廃棄物処理の問題も生じない。また、桁形成部は互いに９０度ずれているから各シートの端縁を有効に利用でき、かつ、それぞれの桁形成部で桁を形成した後の穴はフォークの差込口として使用することができ、四方からフォークを差し込むことが可能な汎用性に富んだパレットを提供できる。
【図面の簡単な説明】
【図１】本発明に係る紙製パレットの一実施形態を示した完成図である。
【図２】本発明に係る紙製パレットの一実施形態の組み立て方法を説明するための図である。
【図３】本発明に係る紙製パレットを作成するための下側紙シートの切断と折り畳みの位置を説明するための図である。
【図４】本発明に係る紙製パレットを作成するための上側紙シートの切断と折り畳みの位置を説明するための図である。
【図５】本発明に係る紙製パレットを作成するための製品載置用紙シートの切断と折り畳みの位置を説明するための図である。
【符号の説明】
１  下側紙シート
２  上側紙シート
４  紙管
５  補強用部材
１０、２０  ハンドフォークのコロの部分を入れる開口
１１  桁形成部
１２  梁部
１３、１４  桁補強部
２１  桁形成部
２２  桁補強部
【図１】
2004276996.tif 000003
【図２】
2004276996.tif 000004
【図３】
2004276996.tif 000005
【図４】
2004276996.tif 000006
【図５】
2004276996.tif 000007